(57)【特許請求の範囲】
【請求項１】
回転駆動装置を装備した本体と、回転駆動装置によって本体下面上で回転するパッド保持具と、パッド保持具に交換可能に同軸保持された円形パッドとを備え、円形パッドの軸心回りの回転により床面を研磨若しくは払拭する床清掃機において、
前記パッド保持具が円形パッドの厚さより小なる深さで下向きに開口した円形のパッド装着凹部を有し、該パッド装着凹部は、ほぼ平坦な内頂面と、円形パッドの外径より大なる内径で円形パッドの外周から離れた円形内周面とで囲まれ、前記内頂面には円形パッドを手で引き剥がすことにより取り外し可能となるように円形パッドの一端面と係合する複数の第１突起が設けられ、前記内周面には、回転による遠心力で円形パッドが拡径状に変形したときに円形パッドが装着凹部から外れないように円形パッドの外周面に係合すると共に回転停止状態では円形パッドの外径が元に復元することによりその外周面との係合が解除される複数の第２突起が設けられていることを特徴とする床清掃機。
【発明の詳細な説明】
【０００１】
【発明の属する技術分野】
本発明は、床面及びワックス層表面の洗浄や研磨を行う床清掃機に関するものであり、詳しくは、パッドの保持手段に関するものである。
【０００２】
【従来の技術】
現在、ビルメンテナンスにおいて、一般的に床洗浄には、小型でフロアポリッシャーと呼ばれるモーター及び駆動部と直径２００〜４００ｍｍの洗浄パッド又は洗浄ブラシの取付軸とを直結したタイプの装置が使われている。このフロアポリッシャーでは、床面へ掛けられるパッドの押圧力はマシン全体の重量である１４〜４０ｋｇとなる。また、大面積を高効率で清浄できる大型の洗浄機として、一つの大型円形パッドを床表面に適度な圧力で押圧ししつつ電動機モーターで回転させる装置も使われている。これら大・小の洗浄機のパッドの回転速度は２００〜５００ｒｐｍが一般的である。
【０００３】
さらに、洗浄後の床面にワックス層を形成し、ワックス表面をバフ研磨して凹凸のない平滑面とすることによって汚れが溜り難く清浄面を長期維持できるバフィングマシンも用いられている。このバフィングマシンも、研磨用の大型円形パッドを一つ備えており、必要な圧力で床面を押圧した状態で電動機モーターにより高速回転、例えば約１５００〜２０００ｒｐｍ程度で回転しつつ、ワックス面の研磨を行うものである。
【０００４】
上記のようにバフ研磨によって床面上に平滑なワックス表面が形成された後は、通常、洗浄機による洗浄およびバフィングマシンによる研磨を日常的な管理として繰り返し、ワックス層が全て消耗される前に定期的にワックス塗布を行い、ワックス層の残存維持管理を行う。
【０００５】
【発明が解決しようとする課題】
上記の如き従来の洗浄機やバフィングマシンでは、円形パッドは、パッド中心を貫通するボルトによって回転ホルダにナット止めされていた。
【０００６】
しかしながら、パッドをボルトに通してナット止めする場合、使用中の回転でナットが緩んでパッドが外れたりする恐れがあるだけでなく、ナットの着脱に工具が必要であり、パッドの交換等の作業が煩雑で手間の掛かるものとなるほか、ややもするとナットを紛失してしまうこともあった。また、ナットの使用は装置の重量を増加せしめる。
【０００７】
本発明の目的は、上記問題点に鑑み、円形パッドをナットやネジを用いずに容易に着脱できると共に、高速回転しても円形パッドが外れることなく安定に保持できるパッド保持機構を備えた床清掃機を提供することにある。
【０００８】
【課題を解決するための手段】
上記目的を達成するため、請求項１に記載の発明に係る床清掃機では、回転駆動装置を装備した本体と、回転駆動装置によって本体下面上で回転するパッド保持具と、パッド保持具に交換可能に同軸保持された円形パッドとを備え、円形パッドの軸心回りの回転により床面を研磨若しくは払拭する床清掃機において、
前記パッド保持具が円形パッドの厚さより小なる深さで下向きに開口した円形のパッド装着凹部を有し、該パッド装着凹部は、ほぼ平坦な内頂面と、円形パッドの外径より大なる内径で円形パッドの外周から離れた円形内周面とで囲まれ、前記内頂面には円形パッドを手で引き剥がすことにより取り外し可能となるように円形パッドの一端面と係合する複数の第１突起が設けられ、前記内周面には、回転による遠心力で円形パッドが拡径状に変形したときに円形パッドが装着凹部から外れないように円形パッドの外周面に係合すると共に回転停止状態では円形パッドの外径が元に復元することによりその外周面との係合が解除される複数の第２突起が設けられていることを特徴とするものである。
【０００９】
本発明においては、パッド保持具のパッド装着凹部の内頂面に複数の第１突起を備え、円形パッドの上側一端面と係合させることにより、円形パッドを前記凹部に着脱可能に係止するものである。さらに、前記凹部の円形内周面には、複数の第２突起を備えることにより、円形パッドが回転状態にあって遠心力で拡径状に変形すると、円形パッドの外周面が前記凹部内周面に接近して第２突起が係合するため、円形パッドが装着凹部から外れて飛び出すことようなことはない。
【００１０】
また、回転停止状態では円形パッドの外径が元に復帰するのでその外周面と第２突起との係合が緩くなり、或いは完全に解除され、これにより円形パッドは実質的に第１突起による端面だけでの係合状態となるので、手で引き剥がすことにより容易に取り外し可能となる。
【００１１】
本発明の第１突起及び第２突起の具体的は単純な細ピン状の多数の突起でもよいが、例えば、所謂面ファスナー（ベルクロファスナー）を構成するフック型またはキノコ型の突起としても良い。通常、洗浄や研磨に用いられる円形パッドは、ナイロンやポリエステル等の素材を不織布状に加工したものであり、その表面は網目状に毳立ったものである。
【００１２】
従って、このような円形パッド表面をパイル面として、第１突起および第２突起により多数の個所で互いに係合させるので、円形パッドを装着凹部に安定に係止することができ、またその取り外しも単に引き剥がすだけで可能となる。
【００１３】
このような第１及び第２突起による係合方式では、ナットやネジを使用せずに円形パッドを装着凹部内に充分な係合力で係止、装着することができるだけではなく、取り外し時には簡単に引き剥がせるため、円形パッドの交換作業は簡便なものとなる。
【００１４】
【発明の実施の形態】
以下に、本発明の一実施の形態として、本体下部に直径約８０ｍｍの小型円形パッドを５つ備えた床清掃機を図１、図２に示す。図１（ａ）は、本実施形態の床清掃機の概略構成図であり、特に下部構造を示す部分断面図であり、（ｂ）は（ａ）の清掃機を下方から見た平面図である。図２は、保持具の構成を示す模式図であり、（ａ）は縦断面図、（ｂ）は平面図である。
【００１５】
本実施形態の床清掃機では、清掃機本体１の下方に、清掃領域を覆い、床面上の洗浄、研磨によって生じる汚れや塵の飛散を防止するためのカバー部２が設けられており、このカバー部２内の本体下部に５つの円形パッド７が、保持具である５つのパッドホルダ４の円形凹部内にそれぞれ装着されている。
【００１６】
これらパッドホルダ４は、本体１下部の５つの保持軸３の下方にバネ部材６を介してそれぞれ懸吊されている。また、保持軸３の下部には、各パッドホルダ４の中心を貫通状態で各枢支軸５が一体的に突設されており、各パッドホルダ４は、バネ部材６の伸縮に応じて各枢支軸５に対して上下方向に摺動可能であると同時に、予めバネ部材６によって下方（床面側）へ付勢されている。
【００１７】
このようなパッドホルダ４の円形凹部内は、円形パッド７の厚みより浅く、円形パッド７の外周径より若干大きい内周径を持ち、図２に示すように、枢支軸のための貫通孔１２やバネ部材用係止溝１３が形成されている中央部領域以外の内頂面に、複数の第１突起を備えた第１係合面２０が設けられている。
【００１８】
この第１係合面２０の第１突起は、一般的にベルクロファスナーに用いられているフック型或いはキノコ型の突起であり、円形パッド７の表面をパイル面として接触により容易に係合すると共に、円形パッド７を引張るだけで容易に係合状態を解いて取り外せるものである。
【００１９】
さらに、この凹部内の内周面には、複数の細ピン状の突起を第２突起として備えた第２係合面２１が設けられている。この第２係合面には、停止時の円形パッド７の外周面とは殆ど接しないが、円形パッド７に回転に伴う遠心力による拡径状の変形が生じた際に円形パッド７の外周面が接近して係合され、円形パッド７の係止状態が得られるとなる。
【００２０】
このため、円形パッド７の着脱は、ほぼ第１係合面２０の第１突起に対してのみの係合および解除であるので非常に容易であると共に、回転時には第２係合面２１との係合状態によって円形パッド７がパッドホルダ４から外れてしまうことなく、安定した装着状態が維持される。
【００２１】
また、本実施形態においては、各バネ部材６に下方側へ付勢状態で懸吊されているパッドホルダ４によって、各円形パッド７も予め下方（床面側）へ付勢された状態となっている。この付勢に抗して各円形パッド７が下方側から押圧されると、パッドホルダ４は対応する各枢支軸５に対して上方へ摺動する。
【００２２】
また、本実施形態においては、各枢支軸５は、断面正六角形状をもち、パッドホルダ４に形成されている貫通孔１２の正六角型の外周形状に嵌合するものとした。これにより、各枢止軸５が軸回転すると、これら各枢支軸５に嵌合状態で枢止されているパッドホルダ４も共に軸回りに回転する。
【００２３】
また、カバー部２内の本体１下部には、周縁上に４つのキャスター１０が等角度間隔で取付けられており、本体１下部と床面との間にキャスター１０の高さ分の一定距離が維持されるものとした。従って、床面Ｆ上に清掃機を載置すると、床面Ｆによってキャスター１０下端まで円形パッド７はバネ付勢に抗して押し戻され、本実施形態の床清掃機においては、各円形パッド７は常に所定圧力で床面Ｆを押圧することとなる。
【００２４】
また、本実施形態においては、５つの円形パッド７を、図１（ｂ）に示すように、一つの円形パッド７を中心として他の４つがその四方に配置される設計とした。そこで、中心に配置される円形パッド７用の保持軸３に、本体１に内蔵された回転駆動手段としての電動モータ（不図示）によって回転される回転軸Ｍを連結して直接回転が伝達されるものとし、この中心の保持軸３から他の４つの保持軸３へ、全保持軸３が噛合している同一の無端タイミングベルト１１によって回転が伝達される構成とした。
【００２５】
従って、電動モータ回転軸Ｍによって中心位置の保持軸３が回転されると、その下部に一体的に突設されている枢支軸５も軸回転し、この枢支軸５に嵌合枢止されているパッドホルダ４と共に中心位置の円形パッド７が垂直軸回りに水平面（床面Ｆ）に沿って回転されると同時に、中心の保持軸３から無端タイミングベルト１１を介して他の４つの保持軸３へ回転が伝達され、各保持軸３にそれぞれ対応するパッドホルダ４および円形パッド７が枢支軸５の回転に伴って垂直軸回りに回転を始める。
【００２６】
本実施形態におけるパッドホルダ４は、特に複数の第２突起を備えた第２係合面２１との係止状態によって、円形パッド７を高速回転においても安定に保持できるため、例えば２００〜５００ｒｐｍと比較的回転速度の低い洗浄機はもちろん、約１５００〜２０００ｒｐｍという高速回転が行われる研磨装置にも利用でき、さらには８０００〜１１０００ｒｐｍという超高速回転の装置にも充分有効である。
【００２７】
【発明の効果】
以上説明したとおり、本発明の床清掃機によれば、円形パッドは工具を用いずともパッド保持具に対して容易に着脱できると共に、高速回転時においては保持具に常に安定に保持されるため、複数の小型円形パッドを備える場合にも、パッド交換等の作業性の効率は高く、且つ清掃中の円形パッドの保持具からの脱落もないという効果がある。
【図面の簡単な説明】
【図１】本発明の一実施形態としての床清掃機の概略構成図であり、（ａ）は特に下部構造を説明する部分縦断面図、（ｂ）は（ａ）の清掃機を下方から見た平面図である。
【図２】図１の床清掃機のパッド保持具の構成を説明する模式図であり、（ａ）は縦断面図、（ｂ）は平面図である。
【符号の説明】
１：本体
２：カバー部
３：保持軸
４：パッドホルダ
５：枢支軸
６：バネ部材
７：円形パッド
１０：フリーキャスター
１１：タイミングベルト
１２：貫通孔
１３：バネ部材用係止溝
２０：第１係合面（第１突起）
２１：第２係合面（第２突起）
Ｍ：電動機モータ回転軸
Ｆ：床面
【図１】
0003665486.tif 000002
【図２】
0003665486.tif 000003